(57)【要約】【課題】惹き寄せられた獲物が捕食することで「あたり」を感じた後で、「合わせ」の操作を行った際に、獲物に針掛りする前に逃げられることを防止し、確実に獲物を針掛りして、釣り上げることができる釣り補助具の提供を目的とする。【解決手段】釣りの対象となる獲物における、他の部分と比較して硬質部分、突状部分のうち少なくとも一方の部分を引掛け部分として、該引掛け部分への引掛けを許容する獲物引掛け許容部１２Ａ，１２Ｂを釣り補助具本体１１Ａ，１１Ｂに備え、上記獲物引掛け許容部１２Ａ，１２Ｂの表面に、ループ状であるループ状引掛け毛１６を複数植設した。【選択図】図１
2012095579.tif 000002
【特許請求の範囲】
【請求項１】
釣りの対象となる獲物における、他の部分と比較して硬質部分、突状部分のうち少なくとも一方の部分を引掛け部分として、該引掛け部分への引掛けを許容する獲物引掛け許容部を釣り補助具本体に備え、
上記獲物引掛け許容部の表面に、ループ状であるループ状引掛け毛を複数植設した
釣り補助具。
【請求項２】
上記獲物引掛け許容部の近傍に釣り針を備えた
請求項１に記載の釣り補助具。
【請求項３】
上記釣り針は、上記釣り補助具本体の進行方向における上記獲物引掛け許容部の前端部よりも少なくとも後方側に備えた
請求項１、又は、２に記載の釣り補助具。
【請求項４】
上記釣り針は、上記釣り補助具本体の進行方向における上記獲物引掛け許容部の上端部よりも少なくとも下側に備えた
請求項１から３のいずれかに記載の釣り補助具。
【請求項５】
上記ループ状引掛け毛を、該ループ状引掛け毛のループ開口方向が上記釣り補助具本体の進行方向に一致させて上記獲物引掛け許容部の表面に植設した
請求項１から４のいずれかに記載の釣り補助具。
【請求項６】
道糸の先端側からハリスを介して釣り針を接続し、
上記道糸の先端側を基点として上記釣り針が届く範囲内に上記獲物引掛け許容部を備えた
請求項１から５のいずれかに記載の釣り補助具。
【請求項７】
上記釣り補助具本体を、上記釣り針よりも下方に配置させた状態で道糸の先端側に接続した
請求項６に記載の釣り補助具。
【請求項８】
上記釣り補助具本体を、疑似餌として形成した
請求項１から６のいずれかに記載の釣り補助具。
【請求項９】
上記疑似餌を、長尺状に形成し、
長さ方向に伸縮自在に形成した
請求項８に記載の釣り補助具。
【請求項１０】
上記引掛け部分は、魚類系の獲物の歯であり、
上記ループ状引掛け毛を、上記歯への引掛けを許容する大きさのループ形状で形成し、
上記疑似餌を、上記獲物が最大に開いた口の大きさと略同じ大きさで、且つ、口内への挿入を許容する大きさで形成した
請求項８、又は、９に記載の釣り補助具。
【請求項１１】
釣り針を、サビキ釣りの仕掛け用の釣り針で形成し、
上記釣り補助具本体を、上記釣り針に取り付けるシート状疑似餌として形成した
請求項２に記載の釣り補助具。
【請求項１２】
上記釣り補助具本体を、獲物の把持を補助する獲物把持補助具として構成し、
上記獲物引掛け許容部を、上記獲物把持補助具における獲物を把持したときの獲物との接触部分に備えた
請求項１に記載の釣り補助具。
【発明の詳細な説明】
【技術分野】
【０００１】
この発明は、例えば、釣り用のルアーをはじめとして、獲物が逃げないように留めておくことのできる釣り補助具に関する。
【背景技術】
【０００２】
例えば、ルアーフィッシングにおいて、釣り人は、ルアーを水中、或いは水面において進行させ、このようなルアーに惹き寄せられた獲物である魚が、ルアーを捕食することで、「あたり」を感じることになる。これにより釣り人は、ロッド、すなわち竿をしゃくるなどの「合わせ」という操作を行うことで、魚の口等に釣り針を掛かけて魚を釣り上げることができる。
【０００３】
しかし、実際には、魚は、一旦、ルアーを捕食しても少しでも違和感を感じると水と一緒に釣り針ごと吐き出す場合や、警戒してルアーを完全に捕食せず、単にルアーを口先で突いているだけの場合がある。
【０００４】
このため、従来では、釣り人が「あたり」を感じても「合わせ」のタイミングがずれると、魚の口に釣り針を引掛けることができず、魚を逃がしてしまうことが多いという問題があった。
【０００５】
このような問題は、例えば、投げ釣りの場合には、糸ふけ、すなわち、糸の弛みが生じ易く、大きくロッドをしゃくる必要があり、高度な「合わせ」の技術を要することになるため、より顕著になる。また、石鯛のように口の固い魚を釣る場合には、特に、釣り針が歯に掛かり難く、経験者でも「合わせ」の操作を上手く行うことは特に困難であった。
【０００６】
上述したように「あたり」を感じても、魚を逃がしてしまうという問題に対して、対策が施されたルアーが提案されている。例えば、特許文献１に開示の魚釣り用ルアーもその１つである。
【０００７】
特許文献１に開示の魚釣り用ルアーは、該ルアーを魚が捕食したとき、柔らかい食感を与える程度に軟質である軟質材のコーティング層を表面に形成した構成である。  
上述した特許文献１に開示の魚釣り用ルアーは、表面を軟質に形成することで、ルアーを捕食した魚に与える食感が本物の餌でないことに気付くタイミングを遅らせることができるという効果を期待して構成したものである。すなわち、上記ルアーは、釣り人が「あたり」を感じてから「合わせ」の操作をするまでの間を確保して、魚が逃げ去る前に針掛けして釣り上げることができるというものである。
【０００８】
しかし、捕食した魚に与える食感が本物の餌でないことに気付くタイミングをある程度遅らせることができても、反応が早い魚を釣る場合であれば、針掛けを行う前に、違和感を感じて逃げてしまう。また、単に表面を軟質にしても、本物の餌の感触と同じとは限らず、食感以外にも臭いなどが本物の餌と異なる場合には、魚に警戒心を抱かせる要因となり、さらなる改良が必要であると言わざるを得ない。
【先行技術文献】
【特許文献】
【０００９】
【特許文献１】特開平０９−２４８０９６号公報
【発明の概要】
【発明が解決しようとする課題】
【００１０】
そこでこの発明は、惹き寄せられた獲物による「あたり」を感じた後で、「合わせ」の操作を行った際に、獲物に針掛けする前に逃げられることを防止し、獲物を確実に釣り上げることができる釣り補助具の提供を目的とする。
【課題を解決するための手段】
【００１１】
本発明は、釣りの対象となる獲物における、他の部分と比較して硬質部分、突状部分のうち少なくとも一方の部分を引掛け部分として、該引掛け部分への引掛けを許容する獲物引掛け許容部を釣り補助具本体に備え、上記獲物引掛け許容部の表面に、ループ状であるループ状引掛け毛を複数植設したことを特徴とする。
【００１２】
以下の説明において、特に示す場合を除いて例えば、釣り補助具をルアーであるとするとともに、獲物を魚であるとして説明する。  
上述したように、上記獲物引掛け許容部の表面に、ループ状引掛け毛を複数植設することにより、魚がルアーを捕食したとき、ループ状引掛け毛は、ループ状であるため、ループ状引掛け毛に魚の歯が引掛かり易くなるといえる。
【００１３】
これにより、獲物である魚をある程度の時間留めておくことができ、魚がルアーを吐き出そうとしている間に、「合わせ」のためのタイミングを十分に確保することができ、確実に魚を釣り上げることができる。
【００１４】
上記獲物とは、例えば、魚類、甲殻類、頭足類、貝類を含む魚介類を挙げることができ、具体的には、魚類の他に、海老、カニ、イカ、貝などを含む。
【００１５】
上記「上記釣りの対象となる獲物における、他の部分と比較して硬質部分、突状部分のうち少なくとも一方の部分を引掛け部分として、」とは、例えば獲物が魚類である場合、例えば、歯や、鱗、鰭を挙げることができ、頭足類の場合、吸盤であり、その他、甲殻類の場合には、触覚や脚、さらには、殻の表面の突起であり、貝類の場合、貝殻を示す。
【００１６】
上記獲物引掛け許容部は、釣り補助具本体とは別部材で構成した獲物引掛け許容手段として構成してもよい。この場合、獲物引掛け許容手段は、少なくとも一方の面を、複数の上記ループ状引掛け毛を植設した構成とし、他方の面を上記釣り補助具本体に対して固着することができる。
【００１７】
上記獲物引掛け許容手段は、例えば、一対の面ファスナのうち、一方を構成する雌型面ファスナなど、シート体の基布にループ状の毛を植設した構成とすることができる。
【００１８】
これら上記獲物引掛け許容手段を上記釣り補助具本体に対して固着する手段としては、例えば、接着剤やテープにより接着したり、熱溶着するなど、特に限定しない。
【００１９】
また、上記獲物引掛け許容部は、複数の上記ループ状引掛け毛を、釣り補助具本体の表面に直接植設した獲物引掛け許容領域として構成としてもよい。すなわち、上記獲物引掛け許容領域は、上記釣り補助具本体の少なくとも一部において、複数の上記ループ状引掛け毛を直接植設した領域として構成することができる。
【００２０】
さらにまた、上記獲物引掛け許容部は、上記釣り補助具本体に対して１箇所に限らず、複数箇所、或いは、外周全体に備えてもよく、また、様々な形状で備えることができる。
【００２１】
この発明の態様として、上記獲物引掛け許容部の近傍に釣り針を備えることができる。
【００２２】
例えば、釣り補助具がルアーであるとともに、獲物が魚である場合を例にとり説明すると、上述したように、獲物である魚がルアーを捕食したとき、ループ状引掛け毛を魚の歯に引掛けることができる。
【００２３】
これにより、魚がルアーを水ごと釣り針と一緒に吐き出して逃げないように、ある程度の時間留めておくことができ、その間に、ロッドをしゃくるなどの「合わせ」の操作を行うことで、上記獲物引掛け許容部の近傍に備えた釣り針をしっかりと魚の口等に引掛けることができる。  
なお、魚の口等とは、魚の口をはじめ、魚の口以外の例えば、魚の体の一部をも含む。
【００２４】
このように、釣り針を魚の口に確実に引掛けることができるため、魚を釣り上げる際に、逃してしまうことがなく、確実に釣り上げることができる。
【００２５】
またこの発明の態様として、上記釣り針は、上記釣り補助具本体の進行方向における上記獲物引掛け許容部の前端部よりも少なくとも後方側に備えることができる。
【００２６】
上述した構成によれば、魚がルアーを後方側から捕食した場合に、より一層、確実に魚を逃がしてしまうことなく釣り上げることができるという効果を得ることができる。
【００２７】
詳しくは、ルアーの進行方向の前方部分は、直接的、或いは、間接的に道糸と接続されているため、魚は、ルアーを後方側から捕食することが多い。このため、上述したように、上記釣り針を、上記釣り補助具本体の進行方向における上記獲物引掛け許容部の前端部よりも少なくとも後方側に備えた構成とすることで、魚がルアーを後方側から捕食したとき、魚の口内において、上記釣り針を上記獲物引掛け許容部の前端部よりも奥側に位置させることができる。
【００２８】
これにより、魚の口内において、万が一にもループ状引掛け毛に引掛かった魚の歯が外れた場合においても、魚が捕食したルアーを釣り針ごと吐き出して逃がしてしまうことなく、「合わせ」の操作により、魚の口等に対して釣り針を確実に引掛けることができ、より一層、確実に魚を釣り上げることができる。
【００２９】
またこの発明の態様として、上記釣り針は、上記釣り補助具本体の進行方向における上記獲物引掛け許容部の上端部よりも少なくとも下側に備えることができる。
【００３０】
上述した構成によれば、魚がルアーを下方側から捕食した場合に、より一層、確実に魚を逃がしてしまうことなく釣り上げることができるという効果を得ることができる。
【００３１】
詳しくは、上述した構成によれば、魚がルアーを下方側から捕食した場合に、魚の口内において、上記釣り針を上記獲物引掛け許容部の上端部よりも奥側に位置させることができる。これにより、魚の口内において、万が一にもループ状引掛け毛に引掛かった魚の歯が外れた場合においても、魚が捕食したルアーを釣り針ごと吐き出して逃がしてしまうことなく、「合わせ」の操作により、魚の口等に対して釣り針を確実に引掛けることができ、より一層、確実に魚を釣り上げることができる。
【００３２】
またこの発明の態様として、上記ループ状引掛け毛を、該ループ状引掛け毛のループ開口方向が上記釣り補助具本体の進行方向に一致させて上記獲物引掛け許容部の表面に植設することができる。
【００３３】
上記釣り補助具本体としてのルアーの進行方向の前方部分は、直接的、或いは、間接的に道糸と接続されているため、魚は、ルアーを後方側から捕食することが多い。このため、上述したように構成とすることで、魚が捕食したルアーを吐き出そうとしたとき、そのルアーを吐き出す方向と、ループ状引掛け毛のループ開口方向とがいずれもルアーの進行方向で一致することになり、ループ状引掛け毛を魚の歯に、より一層、確実、且つ、容易に引掛かることができる。  
よって、魚を逃がすことなく確実に釣り上げることができる。
【００３４】
またこの発明の態様として、道糸の先端側からハリスを介して釣り針を接続し、
上記道糸の先端側を基点として上記釣り針が届く範囲内に上記獲物引掛け許容部を備えることができる。
【００３５】
魚がルアーを捕食したとき、上述したように、ループ状引掛け毛が魚の歯などの引掛け部分に引掛けることができるため、魚を逃げないように、ある程度の時間留めておくことができる。ここで、上述したように、上記獲物引掛け許容部を、上記道糸の先端を基点として上記釣り針が届く範囲内に備えることで、ロッドをしゃくるなどの「合わせ」の操作により、釣り針を魚の体の一部に引掛けることができる。
【００３６】
またこの発明の態様として、上記釣り補助具本体を、上記釣り針よりも下方に配置させた状態で道糸の先端側に接続することができる。
【００３７】
上述したように、釣り補助具本体を、上記釣り針よりも下方に配置させることにより、蟹や海老などの獲物が、釣り針に取り付けた餌やルアーに惹き寄せられたとき、上記釣り針よりも下方に配置した上記釣り補助具本体に載り上がるなどして接触する。
【００３８】
これにより、上記釣り補助具本体に備えた獲物引掛け許容部に有するループ状引掛け毛を、蟹や海老などの獲物における例えば、殻の表面に有する突起などの引掛け部分に引掛けることができる。
【００３９】
例えば、獲物が海老である場合、海老の触覚、脚、或いは、甲羅の突起がループ状引掛け毛に引掛かるため、海老が逃げようとして後方に退こうとしても、海老を、上記道糸の先端側を基点として上記釣り針が届く範囲内に留めておくことができる。
【００４０】
よって、針掛けのタイミングを確保することができ、ロッドをしゃくるなどの「合わせ」の操作により、確実に海老や蟹の胴体などに針掛けして釣り上げることができる。
【００４１】
またこの発明の態様として、上記釣り補助具本体を、疑似餌として形成することができる。
【００４２】
上述した構成により、上記釣り補助具本体自体に獲物を惹き寄せることができることができ、魚は、ループ状引掛け毛を複数植設した上記獲物引掛け許容部を備えた上記釣り補助具本体を直接、飲み込むなどして捕食することになり、ループ状引掛け毛を魚の歯などの引掛け部材に確実、且つ、しっかりと引掛けることができる。
【００４３】
疑似餌には、魚類型、昆虫型、或いは、イカ釣りに用いる餌木として構成することができる。或いは、スプーンやスピナーベイト等も含む。
【００４４】
またこの発明の態様として、上記疑似餌を、長尺状に形成し、長さ方向に伸縮自在に形成することができる。
【００４５】
上述した構成によれば、獲物である魚がルアーを捕食したとき、たとえ、釣り針を含まないルアーの長さ方向の末尾部分のみを捕食した場合であったとしても、ループ状引掛け毛に歯が引掛かるため、魚が逃げないように、ある程度の時間留めておくことができる。さらに、魚は、逃げようとする過程で口を開閉しながらルアーの長さ方向の先端部分までさらに捕食しようとする。これにより、ルアーが長さ方向に収縮変形し、これに伴って、魚は、ルアーを、釣り針を含めた先端部分まで確実に捕食することができる。よって、魚の口等に釣り針を確実に引掛けることができる。
【００４６】
またこの発明の態様として、上記引掛け部分は、魚類系の獲物の歯であり、上記ループ状引掛け毛を、上記歯への引掛けを許容する大きさのループ形状で形成し、上記疑似餌を、上記獲物が最大に開いた口の大きさと略同じ大きさで、且つ、口内への挿入を許容する大きさで形成することができる。
【００４７】
上述した構成により、魚類系の獲物がルアーを捕食したとき、魚類系の獲物の口が最大に開いた状態で上記疑似餌を飲み込ませることができる。これにより、魚類系の獲物の歯と上記疑似餌との接触部分が大きくなり、より複数のループ状引掛け毛を歯に引掛かけることができる。  
よって、魚類系の獲物が逃げないように留めておくことができ、釣り針に引掛けなくとも、複数のループ状引掛け毛を歯に引掛かけた状態で魚を釣り上げることも可能となる。
【００４８】
ここで、「上記獲物が最大に開いた口の大きさと略同じ大きさ」とは、獲物が開くことができる口の大きさの最大の大きさを示す。
【００４９】
またこの発明の態様として、釣り針を、サビキ釣りの仕掛け用の釣り針で形成し、上記釣り補助具本体を、上記釣り針に取り付けるシート状疑似餌として形成することができる。
【００５０】
上述した構成により、サビキ釣りの際に、ロッドを上下に操作させると、サビキ釣り用の釣り針に取り付けたシート状疑似餌が水中を漂うため、小魚や海老が活発に泳いでいる様子を模して獲物を釣り針に惹き寄せることができる。
【００５１】
これにより、シート状疑似餌に惹き寄せられた魚は、釣り針の針先よりもむしろシート状疑似餌を捕食しようとする。このような場合において、シート状疑似餌に複数のループ状引掛け毛を備えることで、シート状疑似餌に備えた複数のループ状引掛け毛を、シート状疑似餌を捕食した魚の歯などに引掛けることができ、魚が逃げないようにある程度の時間留めておくことができる。
【００５２】
よって、サビキ釣りの際にロッドを上下動させる操作により、獲物を確実に針掛けして釣り上げることができる。
【００５３】
またこの発明の態様として、上記釣り補助具本体を、獲物の把持を補助する獲物把持補助具として構成し、上記獲物引掛け許容部を、上記獲物把持補助具における獲物を把持したときの獲物との接触部分に備えることができる。
【００５４】
上記獲物把持補助具は、例えば、獲物把持用バサミ（グリッパ）、手袋、或いは、指サックとして構成することができる。
【００５５】
これら構成により、上記獲物把持補助具の少なくとも一部を、例えば、釣り上げた鱸系の獲物の口に差し込んで下顎を摘んだ状態で把持することができる。また、上記獲物把持補助具は、上記獲物引掛け許容部を、獲物との接触部分に備えているため、例えば、鱸系の獲物の口元を摘んだとき、ループ状引掛け毛を鱸系の獲物の歯に引掛けることができ、獲物が滑り落ちることなく、しっかりと把持しておくことができる。その他にも、指を直接、魚の口の中に入れて下顎を摘む場合と異なり、手が汚れたり、臭いが残ることもないという効果も得ることができる。
【発明の効果】
【００５６】
この発明によれば、惹き寄せられた獲物による「あたり」を感じた後で、「合わせ」の操作を行った際に、獲物に針掛けする前に逃げられることを防止し、獲物を確実に釣り上げることができる釣り補助具を提供することができる。
【図面の簡単な説明】
【００５７】
【図１】第１Ａ実施形態のルアーの構成説明図。
【図２】第１Ｂ実施形態のルアーの構成説明図。
【図３】第２実施形態のルアーの構成説明図。
【図４】第３実施形態のルアーの構成説明図。
【図５】第４実施形態のルアーの構成説明図。
【図６】第５実施形態のルアーの構成説明図。
【図７】第６実施形態のルアーの構成説明図。
【図８】第７実施形態の海老釣り用仕掛け具の構成説明図。
【図９】第８実施形態の獲物把持補助具の構成説明図。
【図１０】他の実施形態に係る獲物把持補助具の構成説明図。
【発明を実施するための形態】
【００５８】
この発明の一実施形態を、以下図面を用いて説明する。  
（第１Ａ実施形態）  
第１Ａ実施形態における釣り補助具は、ルアー１０Ａであり、該ルアー１０Ａは、図１（ａ），（ｂ）に示すように、ルアー本体１１Ａと魚引掛け許容布帛１２Ａとで構成している。  
なお、図１（ａ）は、第１Ａ実施形態におけるルアー１０Ａの右側面図であり、図２（ｂ）は、図１（ａ）中のＡ−Ａ線断面図であり、図２（ｃ）は、図１（ａ）中のＢ−Ｂ線断面図である。また、以下で説明するルアー１０Ａの前後方向をＤ１とし、ルアー１０Ａの進行方向をＤ１Ｆとする。
【００５９】
ルアー本体１１Ａは、小魚に擬似したミノータイプで構成している。ルアー本体１１Ａの前方側の下部には、板状のリップ１３を前方斜め下側に向けて突設している。ルアー本体１１Ａの先端部、前後方向の中間部分よりも前方部分、及び、後端部には、取付け環１４を固着し、それぞれの取付け環１４を、釣糸取付け環１４ａ、第１釣り針取付け環１４ｂ、第２釣り針取付け環１４ｃに設定している。
【００６０】
釣糸取付け環１４ａには、道糸１００を接続し、第１釣り針取付け環１４ｂには、第１釣り針１５ａを取り付け、及び、第２釣り針取付け環１４ｃには、第２釣り針１５ｂを取り付けている。
【００６１】
魚引掛け許容布帛１２Ａは、ルアー本体１１Ａの両側面に、ルアー本体１１Ａの前後方向における頭部分と胴体部分との境界部分の後方部分から後端部分かけて接着剤で添着している。
【００６２】
換言すると、第１釣り針１５ａ、及び、第２釣り針１５ｂは、いずれも魚引掛け許容布帛１２Ａの近傍に備えている。詳しくは、第１釣り針１５ａ、及び、第２釣り針１５ｂは、いずれもルアー本体１１Ａの進行方向Ｄ１Ｆ、より詳しくは、前後方向Ｄ１における魚引掛け許容布帛１２Ａの前端部ＦＰよりも少なくとも後方側部分であるとともに、魚引掛け許容布帛１２Ａの上端部ＵＰよりも少なくとも下側部分に備えている。特に、第１釣り針１５ａは、魚引掛け許容布帛１２Ａに対して略真下側に備えているとともに、第２釣り針１５ｂは、魚引掛け許容布帛１２Ａに対して略真後側に備えている。
【００６３】
なお、魚引掛け許容布帛１２Ａに対して略真下側とは、魚引掛け許容布帛１２Ａよりも下方において、該魚引掛け許容布帛１２Ａの長さ方向（前後方向Ｄ１）の範囲内Ｌに含まれる位置を示す（図１（ａ）参照）。  
魚引掛け許容布帛１２Ａに対して略真後側とは、魚引掛け許容布帛１２Ａよりも後方側において、該魚引掛け許容布帛１２Ａの幅方向（上下方向）の範囲内Ｗに含まれる位置を示す（図１（ａ）参照）。
【００６４】
魚引掛け許容布帛１２Ａは、雌型の面ファスナで形成し、図１（ｂ），（ｃ）に示すように、基布１７に対してループ状をした複数のループ状引掛け毛１６を起毛した構成である。  
魚引掛け許容布帛１２Ａは、ループ状をした複数のループ状引掛け毛１６のそれぞれが様々な方向を向いて開口した繊維状であるが、複数のループ状引掛け毛１６のうち、半数以上の複数のループ状引掛け毛１６のループ開口方向Ｄ２が、ルアー１０Ａの進行方向Ｄ１Ｆ、すなわち、前後方向Ｄ１に一致するよう植設している（図１（ｂ），（ｃ）参照）。
【００６５】
上述したルアー１０Ａを用いて釣り上げる対象となる獲物として鱸系の魚を例に採り、上述したルアー１０Ａが奏する作用効果について説明する。  
ルアー１０Ａは、上記釣糸取付け環１４ａに接続した道糸１００によって水中において前方へ引っ張られながら進行する。これにより、水中を進行するルアー１０Ａに惹き寄せられた魚は、通常、ルアー１０Ａを後方、或いは、下方から飲み込むようにして釣り針１５ごと捕食するのが一般である。
【００６６】
魚は、ルアー１０Ａを飲み込んだ後、少しでも違和感を感じると、飲み込まずに、瞬時に水と一緒に釣り針１５ごとルアー１０Ａを吐き出してしまう。このため、従来のルアーを用いた釣りの場合は、魚がルアーを飲み込むことで釣り人が「あたり」の感触を得たとしても、ロッドをしゃくるなどして、「合わせ」の操作を行う前に、既に魚がルアーを吐き出してしまい、魚を逃がしてしまうことが頻発していた。
【００６７】
これに対して、上述したルアー１０Ａを用いた場合、上述したように、一旦、魚がルアー１０Ａを飲み込むと、魚引掛け許容布帛１２Ａに植設した複数のループ状引掛け毛１６を、魚の歯に引掛けることができる。これにより、魚が違和感を感じて、水と一緒にルアー１０Ａを吐き出そうとしても、吐き出すことができず、魚を逃がしてしまうことなく、ルアー１０Ａを飲み込んだ状態にある程度の時間留めておくことができる。
【００６８】
よって、魚がルアー１０Ａを飲み込んだ状態に留めている間に、釣り人は、ロッドをしゃくるなどの「合わせ」の操作をとることで、釣り針１５を魚の歯に引掛けることができる。よって、「あたり」のあった魚を確実に釣り上げることができる。
【００６９】
上述したルアー１０Ａは、上述した作用、効果に加えて、以下のような作用効果を奏することができる。  
上記ルアー１０Ａは、上述したように第１釣り針１５ａと第２釣り針１５ｂを、上記ルアー本体１１Ａの進行方向Ｄ１Ｆ、より詳しくは、前後方向Ｄにおける上記魚引掛け許容布帛１２Ａの前端部ＦＰよりも少なくとも後方側に備えた構成である。このため、ルアー１０Ａを捕食した魚の歯に引掛けた複数のループ状引掛け毛１６が、魚が水中で暴れるなどして、万一にも外れた場合であっても、ルアー１０Ａを後方側から捕食した魚に対しては、該魚がルアー１０Ａを口から吐き出して逃がしてしまう前に、第１釣り針１５ａと第２釣り針１５ｂを魚の歯に引掛けることができ、魚を逃がしてしまうことなく、より一層、確実に釣り上げることができる。
【００７０】
詳しくは、上述したように、ルアー１０Ａの進行方向の前端部は、釣糸取付け環１４ａを介して道糸１００と接続されているため、魚は、ルアー１０Ａの後方側から捕食することが多い。このため、第１釣り針１５ａと第２釣り針１５ｂを、ルアー本体１１Ａの進行方向における魚引掛け許容布帛１２Ａの前端部ＦＰよりも少なくとも後方側に備えることにより、獲物である魚がルアー１０Ａを捕食したとき、魚の口内において、第１釣り針１５ａと第２釣り針１５ｂを魚引掛け許容布帛１２Ａの前端部よりも奥側に位置させることができる。
【００７１】
これにより、魚の歯に引掛かったループ状引掛け毛１６が、万が一にも外れた場合でも、魚が捕食したルアー１０Ａを吐き出そうとする際に、魚の口内において、第１釣り針１５ａと第２釣り針１５ｂは、魚引掛け許容布帛１２Ａよりも奥側にあるため、ロッドをしゃくるなどして、「合わせ」の操作を行うことで、魚の口等に第１釣り針１５ａと第２釣り針１５ｂを引掛けることができ、より確実に魚を釣り上げることができるという効果を奏することができる。
【００７２】
特に、第２釣り針１５ｂは、魚引掛け許容布帛１２Ａに対して略真後側に備えているため、ルアー１０Ａを後方側から捕食した魚の口内において、第１釣り針１５ａと比較してより奥側に位置させることができる。
【００７３】
よって、魚の歯に引掛かったループ状引掛け毛１６が、万が一にも外れた場合でも、第２釣り針１５ｂは、第１釣り針１５ａと比較してより吐き出し難くなり、ロッドをしゃくったときに魚の口等に対して確実に引掛けることができ、魚をより確実に釣り上げることができる。
【００７４】
上記ルアー１０Ａは、上述したように第１釣り針１５ａと第２釣り針１５ｂを、上記ルアー本体１１Ａの進行方向における上記魚引掛け許容布帛１２Ａの上端部ＵＰよりも少なくとも下方側に備えた構成である。このため、ルアー１０Ａを捕食した魚の歯に引掛けた複数のループ状引掛け毛１６が、魚が水中で暴れるなどして、万一にも外れた場合であっても、ルアー１０Ａを下側から捕食した魚に対しては、該魚がルアー１０Ａを口から吐き出して逃がしてしまう前に、第１釣り針１５ａと第２釣り針１５ｂを魚の口等に引掛けることができ、魚を逃がしてしまうことなく、より一層、確実に釣り上げることができる。
【００７５】
特に、第１釣り針１５ａは、魚引掛け許容布帛１２Ａに対して略真下側に備えているため、ルアー１０Ａを下側から捕食した魚の口内において、第２釣り針１５ｂと比較してより奥側に位置させることができる。
【００７６】
よって、魚の歯に引掛かったループ状引掛け毛１６が、万が一にも外れた場合でも、第１釣り針１５ａは、第２釣り針１５ｂと比較してより吐きだし難くなり、ロッドをしゃくったときに魚の口等に対して確実に釣り針を引掛けることができ、魚をより確実に釣り上げることができる。
【００７７】
また、上記ループ状引掛け毛１６を、ループ開口方向Ｄ２が上記釣り補助具本体の進行方向Ｄ１Ｆ、すなわち、前後方向Ｄ１に一致させて上記魚引掛け許容布帛１２Ａの表面に植設しているため、魚の歯にループ状引掛け毛１６を、より確実に、且つ、よりしっかりと引掛けることができる。よって「あわせ」の操作を行うための十分なタイミングを確保することができ、魚を逃がすことなく釣り上げることができる。
【００７８】
詳しくは、上述したように、ルアー１０Ａの進行方向の前端部は、釣糸取付け環１４ａを介して道糸１００と接続されているため、魚は、ルアー１０Ａの後方側から捕食することが多い。このため、上述した構成とすることで、魚が捕食したルアー１０Ａを吐き出そうとしたとき、そのルアー１０Ａを吐き出す方向Ｄ１Ｆと、ループ状引掛け毛１６のループ開口方向Ｄ２とを一致させることができ、ループ状引掛け毛１６を、魚の歯に格段に引掛け易くなる。  
よって、上記ルアー１０Ａは、より確実に魚を逃がすことなく釣り上げることができる。
【００７９】
以下では、他の実施形態における釣り補助具について説明する。  
但し、以下で説明する釣り補助具の構成のうち、上述した第１Ａ実施形態におけるルアー１０Ａと同様の構成については、同一の符号を付して、その説明を省略する。さらに、上述した実施形態の説明においても、特に示す場合を除いて釣りの対象となる獲物は、鱸系の魚として説明するものとする。
【００８０】
（第１Ｂ実施形態）  
第１Ｂ実施形態におけるルアー１０Ｂは、図２（ａ），（ｂ）に示すように、ルアー本体１１Ｂに、複数の上記ループ状引掛け毛１６を直接植設した獲物引掛け許容領域１２Ｂを構成することができる。  
なお、図２（ａ）は、第１Ｂ実施形態におけるルアー１０Ｂの右側面図であり、図２（ｂ）は、図２（ａ）中のＡ−Ａ線断面図である。
【００８１】
詳しくは、獲物引掛け許容領域１２Ｂは、ルアー本体１１Ｂにおいける頭部を除く全体部分であり、合成樹脂製のルアー本体１１Ｂの表面から複数のループ状引掛け毛１６を直接、植毛した構成である。
【００８２】
上述したルアー１０Ｂは、例えば、ルアー本体１１Ｂを樹脂成形により製造する際に、該ルアー本体１１Ｂの成形材料となる樹脂に上記ループ状引掛け毛１６の素材である繊維を練り込んで、ルアー本体１１Ｂの表面から複数の上記ループ状引掛け毛１６が起毛するように製造することができる。
【００８３】
上述したルアー１０Ｂは、獲物引掛け許容領域１２Ｂにおいて、ルアー本体１１Ｂに、複数のループ状引掛け毛１６を直接植設した構成であるため、複数のループ状引掛け毛１６のそれぞれのルアー本体１１Ｂとの一体性が増し、耐久性を向上させることができるという効果を得ることができる。
【００８４】
さらに、ルアー１０Ｂは、獲物引掛け許容領域１２Ｂをルアー本体１１Ｂの胴体部分の周方向全体に亘って形成しているため、魚が後方から飲み込むに限らず、側方から飲み込んでも、ループ状引掛け毛１６を歯に確実に引掛けることができるという効果も得ることができる。
【００８５】
（第２実施形態）  
第２実施形態におけるルアー２０は、図３に示すように、ルアー本体２１をワームとして形成し、ルアー本体２１の表面に、複数のループ状引掛け毛１６を直接、植設した構成である。  
なお、図３（ａ）は、第２実施形態におけるルアー２０の右側面図であり、図３（ｂ）は、図３（ａ）中のＡ−Ａ線断面図である。
【００８６】
詳しくは、ルアー本体２１は、常温でもゲル状である柔軟性を有した樹脂材料を長尺状に形成し、長さ方向における前端部、及び、後端部を除いた部分に、長さ方向に沿って複数の節部２９を配設した節形成部２７を形成している。
【００８７】
ルアー本体２１は、節形成部２７、及び、後端部２８を、獲物引掛け許容領域２２として、複数のループ状引掛け毛１６を表面に植設している。複数のループ状引掛け毛１６は、その半分以上の割合をそれぞれループ開口方向Ｄ２が長尺状をしたルアー本体２１の長さ方向Ｄ１に一致させて獲物引掛け許容領域２２に植設している。
【００８８】
上述したワーム型のルアー本体２１は、ルアー２０の進行方向Ｄ１Ｆに沿って略真直ぐになるよう長さ方向Ｄ１の前方部分を釣り針１５に係止している。
【００８９】
上述したルアー２０を水中において進行させると、釣り針１５に係止した部分よりも後方側の釣り針１５に係止されていない部分は、水中で揺動しながら漂いながら進行する。このようなルアー２０の動きは、小魚が活発に泳ぐ動きに擬似するため、魚を惹き寄せることができ、魚は、例えば、後方からルアー２０を飲み込む。
【００９０】
ルアー２０は、上述した獲物引掛け許容領域２２において、複数のループ状引掛け毛１６を植設しているため、ループ状引掛け毛１６を確実に魚の歯に引掛けることができる。従って、上述したルアー１０Ａ，１０Ｂと同様に、一度、「あたり」のあった魚を逃がしてしまうことなく、確実に針掛けて釣り上げることができる。
【００９１】
特に、ルアー２０を後方から飲み込もうとした魚が、ルアー２０における釣り針１５の手前の後方部分２８までしか飲み込まなくても、ループ状引掛け毛１６を魚の歯に引掛けることができるため、ルアー２０を飲み込んだ魚が、ルアー２０を吐き出すことを防ぐことができる。さらに、ルアー２０は、柔軟であり伸縮性を有するため、ルアー２０の後方部分２８を飲み込んだ魚が、ルアー２０を吐き出そうと口を開閉することで、柔軟なルアー２０が伸縮し、その過程において、ルアー２０の前方部分を含めた全体を魚に飲み込ませることができる。よって、釣り針１５も含めてルアー２０を飲み込んだ魚の口に釣り針１５を引掛けて魚を釣り上げることができる。
【００９２】
（第３実施形態）  
第３実施形態におけるルアー３０は、図４（ａ），（ｂ）に示すように、ラバージグとして、ルアー本体３１、釣り針１５、及び、ラバースカート３６で構成している。  
なお、図４（ａ）は、第３実施形態におけるルアー３０の右側面図であり、図４（ｂ）は、図４（ａ）中のＡ−Ａ線断面図である。
【００９３】
ルアー本体３１は、鉛製の略球型のヘッド３１Ａとシート状擬似餌３１ａとで構成し、ヘッド３１Ａは、道糸１００を接続するための取付け環１４を上端に固着している。シート状擬似餌３１ａは、例えば、魚の皮などを材料として薄いシート状、且つ、長尺状に形成し、その表面には、複数のループ状引掛け毛１６を起毛状に植設した獲物引掛け許容領域３２を構成している。シート状擬似餌３１ａは、長さ方向の一端部分をヘッド３１Ａの後端部分に固着している。
【００９４】
釣り針１５は、ハリス３５を介してヘッド３１Ａの後端に接続し、シート状擬似餌３１ａの近傍に備えている。詳しくは、ルアー３０は、ヘッド３１Ａを基点としてハリス３５を介して接続された釣り針１５が届く範囲内にシート状擬似餌３１ａを備えた構成である。
【００９５】
ラバースカート３６は、細い長いゴム紐３６ａを複数本束ねた構成であり、ヘッド３１Ａの後端に取り付けている。ラバースカート３６は、通常のラバースカート３６の構成と比較してゴム紐３６ａの本数を少なく、且つ、短尺に形成している。
【００９６】
上述した構成により、魚は、ルアー３０の中でも特に、水中を揺動しながら漂うシート状擬似餌３１ａに惹き寄せられ、シート状擬似餌３１ａを飲み込もうとする。このとき、シート状擬似餌３１ａの近傍には、釣り針１５を備えているため、魚がシート状擬似餌３１ａを飲み込む際に釣り針１５と一緒に飲み込ませることができる。
【００９７】
そして、シート状擬似餌３１ａには、複数のループ状引掛け毛１６を植設しているため、ループ状引掛け毛１６を確実に魚の歯に引掛けることができる。従って、上述したルアー３０と同様に、一旦、「あたり」のあった魚を取り逃がすことなく、確実に針掛けて釣り上げることができる。
【００９８】
（第４実施形態）  
第４実施形態におけるルアー４０は、図５に示すように、サビキ釣り用の仕掛け４９の一部として構成している。  
なお、図５に示すように、一部を拡大して示したサビキ釣り用の仕掛け４９の構成説明図である。
【００９９】
第４実施形態におけるサビキ釣り用の仕掛け４９は、幹糸４６の下端部に錘付の籠４７を備え、釣糸から分岐したハリス４８を介して釣り針１５、及び、ルアー（４０）としてシート状擬似餌４０を取り付けている。シート状擬似餌４０は、図５に示すように、スキンや魚皮で形成されるシートであり、釣り針１５の基部に取り付けている（図５中の一部拡大図参照）。
【０１００】
シート状擬似餌４０は、第３実施形態のシート状擬似餌３１ａと同様に、例えば、長尺なシート状擬似餌本体４１の表面に複数のループ状引掛け毛１６を植設して獲物引掛け許容領域４２を構成している。シート状擬似餌３１ａは、スキンや魚皮と同じ要領でその長さ方向の一端部を釣り針１５の基部に巻き付けて取り付けている。
【０１０１】
上述した構成により、サビキ釣りの際に、ロッドを上下に操作する際に、サビキ釣り用の釣り針１５に取り付けるシート状疑似餌４０の先端が水中を漂うため、小魚や海老が活発に泳いでいる様子を模して魚を釣り針１５に惹き寄せることができる。
【０１０２】
これにより、シート状疑似餌４０に惹き寄せられた魚は、釣り針１５の針先よりもむしろシート状疑似餌４０を捕食しようとする。このような場合において、シート状疑似餌４０に複数のループ状引掛け毛１６を備えることで、これら複数のループ状引掛け毛１６を、シート状疑似餌４０を捕食した魚の歯に引掛けることができ、魚が釣り針１５の近傍から離れることを防止することができる。  
よって、ロッドをしゃくることにより、魚の口に釣り針１５を引掛けることができ、確実に獲物を釣り上げることができる。
【０１０３】
第４実施形態におけるサビキ釣り用の仕掛け４９は、図５に示すように、錘付の籠４７を、幹糸４６の下端部に装着した仕掛けの例について説明したが、このようなサビキ仕掛けに限定せず、例えば、幹糸４６から枝分かれするハリス４８よりも上部に籠を取り付けるなど、サビキ仕掛けは特に限定しない。
【０１０４】
（第５実施形態）  
第５実施形態におけるルアー５０は、図６に示すように、イカ釣りに用いる餌木として構成している。  
なお、図６は、第５実施形態におけるルアー５０の右側面図である。
【０１０５】
ルアー５０は、ルアー本体部５１とイカ引掛け部５５とで構成している。ルアー本体部５１は、海老の形状に似せた形状であり、その先端部分を除く部分の表面には、複数のループ状引掛け毛１６を植設した獲物引掛け許容領域５２を構成している。
【０１０６】
イカ引掛け部５５は、引掛け針５６と、引掛け針取付け棒５７とで構成している。引掛け針取付け棒５７は、ルアー本体部５１の後端から突出した棒状部材であり、引掛け針５６は、引掛け針取付け棒５７の長さ方向に沿って３つを配設している。引掛け針５６は、複数の釣り針１５を周方向に等分配した状態で引掛け針取付け棒５７に装着し、それぞれの釣り針１５は、半径方向の中心側から外側へ進むに連れ前方へ向けて突出している。
【０１０７】
ルアー本体部５１に惹き寄せられたイカは、触手を延ばしてルアー本体部５１を捕らえるが、従来の餌木の場合、本物の餌でないと察知すると、即座に触手を放して逃げてしまう。
【０１０８】
ところが、イカは、触手を延ばしてルアー本体部５１を捕らえたとき、イカの触手の吸盤には、ノコギリ型の突起を有するものが存在する。このノコギリ型の突起を有する吸盤に複数のループ状引掛け毛１６を引掛けることができ、イカが釣り針１５の近傍から離れることを防止することができる。
【０１０９】
よって、一旦、ルアー本体部５１を捕えたイカがルアー本体部５１から触手を放そうとしている間に、釣りロッドをしゃくるなどの操作により、イカ引掛け部５５によって、イカを針掛けして確実に釣り上げることができる。
【０１１０】
（第６実施形態）  
第６実施形態におけるルアー６０は、図７に示すように、ルアー本体６１と、獲物引掛け許容領域６２に植設した複数のループ状引掛け毛１６とで構成している。  
なお、図７は、第６実施形態におけるルアー６０を鱸系の魚１１０が捕食する様子を示している。
【０１１１】
ルアー本体６１は、第１Ｂ実施形態のルアー本体１１Ｂと同様に、小魚に擬似したミノータイプで構成し、ルアー本体６１の前方側の下部には、板状のリップ１３を前方に向けて突設しているが、釣り針１５を備えずに構成している。
【０１１２】
ルアー本体６１は、第１Ｂ実施形態のルアー本体１１Ｂよりも小さな大きさで、詳しくは、鱸系の魚が口を最大に開いたときの大きさと略同じ大きさで、且つ、口内への挿入を許容する大きさで形成している。
【０１１３】
魚引掛け許容布帛１２Ａは、ルアー本体６１の頭部を除く全体に形成し、複数のループ状引掛け毛１６のそれぞれは、歯への引掛けを許容する大きさのループ形状で形成している。
【０１１４】
ルアー６０に惹き寄せられた鱸系の魚１１０は、獲物、すなわち、ルアー本体６１の大きさに応じた大きさで口を開けて獲物を捕食しようとする。このため、ルアー本体６１は、上述したように、鱸系の魚が口を最大に開いたときの大きさと略同じ大きさで、且つ、口内への挿入を許容する大きさで形成しているため、水中において小魚が泳いでいるように進行させると、これに惹き寄せられた鱸系の魚１１０は、口を最大限まで開いてルアー本体６１を飲み込もうとする。
【０１１５】
そうすると、ルアー６０は、魚１１０の口が最大限まで開いた状態で、口の中に入り込んで留まるため、魚１１０の口内で、獲物引掛け許容領域６２に対して魚１１０の歯をより多く接触させることができ、より一層、複数のループ状引掛け毛１６を魚の歯に引掛けることができる。
【０１１６】
よって、複数のループ状引掛け毛１６を魚１１０の歯にしっかりと引掛けた状態とすることができるため、釣り針を魚１１０の歯に掛けなくとも、そのまま魚を釣り上げることができる。
【０１１７】
（第７実施形態）  
第７実施形態における釣り補助具は、図８に示すような構成の海老釣り用仕掛け具７０であり、特に、海老や蟹などの甲殻類を獲物とする釣りに適した仕掛けである。  
なお、図８は、海老釣り用仕掛け具７０を用いた海老釣りの様子を示している。
【０１１８】
詳しくは、第７実施形態における海老釣り用仕掛け具７０は、２つの釣り針１５と、釣り針１５を取り付けたハリス７８を備え、それぞれのハリス７８は、道糸１００の先端部にスイベル７９を介して接続している。
【０１１９】
さらに、上述した２つの釣り針１５やハリス７８よりも下方に板状の海老引掛け部材７１を配置し、海老引掛け部材７１の先端部分の取付け環１４を、スイベル７９を介して道糸１００の先端部に、適宜、釣り糸を介して接続している。
【０１２０】
海老引掛け部材７１は、海老が載り上がることを許容する大きさで構成した板状で構成し、水に浮かない重量で形成している。海老引掛け部材７１の少なくとも一方の面の表面には、複数のループ状引掛け毛１６を植設した獲物引掛け許容領域７２を構成している。
【０１２１】
上述したように、海老釣り用仕掛け具７０は、水中に投入すると、釣り海老引掛け部材７１が水中に沈んで、水底に着地した状態となる。このとき、海老１１１が、釣り針１５に取り付けた餌１１２やルアーに惹き寄せられ、上記釣り針１５よりも下方に配置した上記釣り海老引掛け部材７１に対して載り上がるなどして接触する。
【０１２２】
これにより、海老１１１の脚、触覚、或いは、殻の表面に有する突起が、上記海老引掛け部材７１の獲物引掛け許容領域７２に複数植設したループ状引掛け毛１６に引掛かり、海老１１１が逃げようとして後方に退こうとしても、海老引掛け部材７１から逃げることを防ぐことができる。
【０１２３】
よって、海老釣り用仕掛け具７０は、海老１１１を、上記道糸１００の先端を基点としてハリス７８を介して接続した上記釣り針１５が届く範囲内に留めておくことができるため、針掛けのタイミングを確保することができ、確実に針掛けして釣り上げることができる。  
なお、釣り補助具は、図８に示すような構成の海老釣り用仕掛け具７０として用いるに限らず、適宜、ループ状引掛け毛１６のループの大きさや、海老引掛け部材７１の大きさ、形状を変更して構成し、蟹などの他の甲殻類を釣り対象の獲物とするよう用いてもよい。
【０１２４】
（第８実施形態）  
第８実施形態における釣り補助具は、上述したルアーなどの釣り用仕掛け具として構成せずに、図９（ａ），（ｂ）に示すような獲物把持補助具８０Ａ，８０Ｂとして構成している。  
なお、図９（ａ）は、鋏型をした獲物把持用バサミ８０Ａの正面図であり、図９（ｂ）は、火バサミのようにＶ字型をした獲物把持用バサミ８０Ｂの正面図である。
【０１２５】
図９（ａ），（ｂ）に示した獲物把持用バサミ８０Ａ，８０Ｂは、先端の獲物把持部８１Ａ，８１Ｂに、ゴムなどの弾性体を表層部に装着し、獲物把持部８１Ａ，８１Ｂの表面全体には、ループ状引掛け毛１６を複数植設した魚引掛け許容布帛８２Ａ，８２Ｂを形成している。
【０１２６】
上述した構成によれば、例えば、釣り上げた鱸系の魚の口に獲物把持部８１Ａ，８１Ｂを差し込んで魚の下顎を摘んだ状態で把持することができる。また、獲物把持用バサミ８０Ａ，８０Ｂは、魚引掛け許容布帛８２Ａ，８２Ｂを、獲物との接触部分である獲物把持部８１Ａ，８１Ｂに備えているため、例えば、鱸系の魚の下顎を摘んだとき、ループ状引掛け毛１６を鱸系の魚の歯に引掛けることができる。  
よって、獲物把持用バサミ８０Ａ，８０Ｂは、摘み上げた魚が滑り落ちることなく、しっかりと把持しておくことができる。
【０１２７】
その他にも、指を魚の口の中に入れて下顎を摘む場合と異なり、手が汚れたり、臭いが残ることもないという効果も得ることができる。
【０１２８】
また、獲物把持用バサミ８０Ａ，８０Ｂは、鱸系の魚の口に差し込んで下顎を摘んだ状態で把持するに限らず、例えば、トゲが突き出したウニなどを怪我することなく、安全に把持することができる。
【０１２９】
獲物把持補助具は、上述したように獲物把持用バサミ８０Ａ，８０Ｂとして構成するに限らず、手で把持する際に装着して魚の把持を補助することができる、例えば、図１０（ａ）に示すような獲物把持補助用手袋９０Ａや、図１０（ｂ）に示すように獲物把持補助用指サック９０Ｂなどで構成することができる。
【０１３０】
上述した獲物把持補助用手袋９０Ａは、図１０（ａ）に示すように、手袋本体９１Ａの少なくとも親指部分にループ状引掛け毛１６を複数植設した獲物引掛け許容領域９２Ａを構成しているため、例えば、鱸系の魚の口に親指を差し込んで下顎を摘んだとき、獲物引掛け許容領域９２Ａに植設した複数のループ状引掛け毛１６を、魚の歯に引掛けることができる。
【０１３１】
また、上述した獲物把持補助用指サック９０Ｂは、図１０（ｂ）に示すように、親指１０３への装着を許容するよう構成し、指サック本体９１Ｂにおける親指１０３の指の腹相当部分に、ループ状引掛け毛１６を複数植設した獲物引掛け許容領域９２Ｂを構成している。  
このため、例えば、鱸系の魚の口に指を差し込んだとき、ループ状引掛け毛１６を魚の歯に引掛けて下顎をしっかりと摘むことができる。
【０１３２】
この発明の構成と、上述した実施形態との対応において、
獲物は、鱸系の魚、イカ、海老１１１に対応し、
引掛け部分は、鱸系の魚の歯、イカの吸盤、海老１１１の脚、触覚、甲羅の突起に対応し、
釣り補助具は、ルアー１０Ａ，１０Ｂ，２０，３０，５０，６０、擬似餌シート４０、海老釣り用仕掛け具７０、獲物把持用バサミ８０Ａ，８０Ｂ、獲物把持補助用手袋９０Ａ、及び、獲物把持補助用指サック９０Ｂに対応し、
獲物引掛け許容部は、魚引掛け許容布帛１２Ａ，８２Ａ，８２Ｂ、及び、獲物引掛け許容領域１２Ｂ，２２，３２，４２，５２，６２，７２，９２Ａ，９２Ｂに対応し、
釣り補助具本体は、ルアー本体１１Ａ，１１Ｂ，２１，３１，６１、シート状擬似餌本体４１、ルアー本体部５１、海老引掛け部材７１、獲物把持部８１Ａ，８１Ｂ、手袋本体９１Ａ、及び、指サック本体９１Ｂに対応するものとする。  
また、この発明は、上述した実施形態に限らず、その他にも様々な実施形態で形成することができる。  
例えば、第１Ａ実施形態におけるルアー１０Ａ、及び、第１Ｂ実施形態におけるルアー１０Ｂのように、上述した各実施形態のルアー２０，３０，５０，６０、海老釣り用仕掛け具７０、獲物把持用バサミ８０Ａ，８０Ｂ、獲物把持補助用手袋９０Ａ、或いは、獲物把持補助用指サック９０Ｂにおいて、獲物引掛け許容部を、魚引掛け許容布帛８２Ａ，８２Ｂとして形成したものは、獲物引掛け許容領域として構成してもよく、獲物引掛け許容領域３２，４２，５２，６２，７２，９２Ａ，９２Ｂとして形成したものは、魚引掛け許容布帛として構成してもよい。
【符号の説明】
【０１３３】
１０Ａ，１０Ｂ，２０，３０，５０，６０…ルアー
１１Ａ，１１Ｂ，２１，３１，６１…ルアー本体
１２Ａ，８２Ａ，８２Ｂ…魚引掛け許容布帛
１２Ｂ，２２，３２，４２，５２，６２，７２，９２Ａ，９２Ｂ…獲物引掛け許容領域
１５（１５ａ，１５ｂ）…釣り針
１６…ループ状引掛け毛
３１ａ…シート状擬似餌
４０…シート状擬似餌
４１…シート状擬似餌本体
５１…ルアー本体部
７１…海老引掛け部材
７０…海老釣り用仕掛け具
８０Ａ，８０Ｂ…獲物把持用バサミ
８１Ａ，８１Ｂ…獲物把持部
９０Ａ…獲物把持補助用手袋
９０Ｂ…獲物把持補助用指サック
９１Ａ…手袋本体
９１Ｂ…指サック本体
【図１】
2012095579.tif 000003
【図２】
2012095579.tif 000004
【図３】
2012095579.tif 000005
【図４】
2012095579.tif 000006
【図５】
2012095579.tif 000007
【図６】
2012095579.tif 000008
【図７】
2012095579.tif 000009
【図８】
2012095579.tif 000010
【図９】
2012095579.tif 000011
【図１０】
2012095579.tif 000012